(57)【要約】【課題】従来の情報受信装置では、視聴者がどのようなコマーシャルを望んでいるのかを把握できておらず、放送局側から送出されているコマーシャル放送をただ受信するだけであった。【解決手段】コマーシャル挿入位置を含む番組情報を受信する番組情報受信手段と、番組情報を記憶する番組情報記憶手段と、ユーザ情報を記憶するユーザ情報記憶手段と、前記番組情報手段に記憶された番組情報と前記ユーザ情報記憶手段に記憶されたユーザ情報を比較する情報比較手段と、前記情報比較手段で比較された結果をもとにコマーシャルを受信するコマーシャル受信手段とを備える。【選択図】図１
2006041664.tif 000002
【特許請求の範囲】
【請求項１】
コマーシャル挿入位置を含む番組情報を受信する番組情報受信手段と、番組情報を記憶する番組情報記憶手段と、ユーザ情報を記憶するユーザ情報記憶手段と、前記番組情報手段に記憶された番組情報と前記ユーザ情報記憶手段に記憶されたユーザ情報を比較する情報比較手段と、前記情報比較手段で比較された結果をもとにコマーシャルを受信するコマーシャル受信手段とを備えたことを特徴とする情報受信装置。
【請求項２】
ユーザの番組視聴情報を取得する視聴情報取得手段をさらに具備し、前記ユーザ情報記憶手段が前記視聴情報取得手段で取得した視聴情報を記憶し、前記コマーシャル受信手段がその視聴情報をもとにコマーシャルを受信することを特徴とする請求項１記載の情報受信装置。
【請求項３】
前記視聴情報取得手段がユーザの視聴動作から視聴履歴を自動的に取得し、前記コマーシャル受信手段がその視聴履歴をもとにコマーシャルを受信することを特徴する請求項２記載の情報受信装置。
【請求項４】
前記視聴情報取得手段がユーザの嗜好情報をユーザから抽出し、前記コマーシャル受信手段がその嗜好情報をもとにコマーシャルを受信することを特徴する請求項２記載の情報受信装置。
【請求項５】
ユーザの個人情報を取得する個人情報取得手段をさらに具備し、前記ユーザ情報記憶手段が前記個人情報取得手段で取得したユーザの個人情報を記憶し、前記コマーシャル受信手段がその個人情報をもとにコマーシャルを受信することを特徴とする請求項１記載の情報受信装置。
【請求項６】
前記個人情報取得手段がユーザの個人情報をユーザから抽出し、前記コマーシャル受信手段がその個人情報をもとにコマーシャルを受信することを特徴する請求項５記載の情報受信装置。
【請求項７】
前記個人情報取得手段がユーザの個人情報を別サーバから取得し、前記コマーシャル受信手段がその個人情報をもとにコマーシャルを受信することを特徴する請求項５記載の情報受信装置。
【発明の詳細な説明】
【技術分野】
【０００１】
本発明は、ユーザの番組視聴状況やユーザの嗜好情報を用いて、ユーザ毎に異なるコマーシャル放送を受信できるサービスを提供することのできるテレビジョン放送システムにおいて使用するのに適した情報受信装置に関するものである。
【背景技術】
【０００２】
一般に民間の放送ではコマーシャル放送があり、視聴者は、番号の途中でコマーシャル放送が入ると、手動で別のチャンネルに切り換え、別のチャンネルを楽しむことが多い。そこで、コマーシャル放送が始まると、別のチャンネルに自動的に切り換えることにより、利便性の良好なテレビチャンネル切換装置を提供している（例えば、特許文献１参照）。
【０００３】
しかし、コマーシャル放送は、民間放送の立場からは考えると、大事な収入源であり、コマーシャルを提供している企業も考えると、いかにコマーシャルを視聴者に見せると事ができるが重要になっている。特許文献１のように勝手に別のチャンネルに切り換えされると、コマーシャルを提供している企業にとって、メリットが全くなくなってしまう。また、視聴者に有効な、あるいは効果的なコマーシャルを提供することは難しく、視聴者それぞれが要求している要望をマーケティングすることも非常に重要である。
【特許文献１】特開平０７−０７５０１５号公報
【発明の開示】
【発明が解決しようとする課題】
【０００４】
しかしながら、従来の情報受信装置では、視聴者がどのようなコマーシャルを望んでいるのかを把握できておらず、放送局側から送出されているコマーシャル放送をただ受信するだけであった。
【０００５】
そこで、本発明は、視聴者が見ている番組から抽出された視聴履歴や、視聴者の嗜好情報にあったコマーシャル放送だけを受信でき、放送局側、コマーシャルを提供している企業、視聴者の全てにおいて、有効かつ効果的な情報受信装置を提供することを目的としている。
【課題を解決するための手段】
【０００６】
上記課題を解決するために、本発明にかかる情報受信装置は、コマーシャル挿入位置を含む番組情報を受信する番組情報受信手段と、番組情報を記憶する番組情報記憶手段と、ユーザ情報を記憶するユーザ情報記憶手段と、前記番組情報手段に記憶された番組情報と前記ユーザ情報記憶手段に記憶されたユーザ情報を比較する情報比較手段と、前記情報比較手段で比較された結果をもとにコマーシャルを受信するコマーシャル受信手段とを備えたものである。
【発明の効果】
【０００７】
本発明の情報受信装置によれば、コマーシャル挿入位置を含む番組情報を受信する番組情報受信手段と、番組情報を記憶する番組情報記憶手段と、ユーザ情報を記憶するユーザ情報記憶手段と、前記番組情報手段に記憶された番組情報と前記ユーザ情報記憶手段に記憶されたユーザ情報を比較する情報比較手段と、前記情報比較手段で比較された結果をもとにコマーシャルを受信するコマーシャル受信手段とを備えた構成にしたから、ユーザの視聴状況に応じて、ユーザの要望に合致したコマーシャル放送を受信できるサービスを提供することができるテレビジョン放送システムにおいて使用するのに適した情報受信装置を実現できる効果がある。
【発明を実施するための最良の形態】
【０００８】
（実施の形態１）
図１は本発明の実施の形態１による情報受信装置を示す構成図であり、図２は本発明の実施の形態１による情報受信装置において、番組情報に重畳されて送出される番組情報の内容の一例を示す図である。
【０００９】
図１において、１１は上記番組情報を受ける番組情報受信手段であり、１２はその番組情報を記憶する番組情報記憶手段である。１３は通常の番組放送（映像ならびに音声）を受信する番組放送受信手段、１４はコマーシャル放送を受信するコマーシャル放送受信手段である。１５は各番組情報をそれぞれ分割された複数のセルの一つに対して割り付けて、モニタ１６に表示する番組表提供手段、１７は番組表に対してカーソルを提供するカーソル提供手段、１８は番組表の中のいずれかのセルにカーソルが位置しているかを検出し、検出したカーソル位置にある番組を指定するカーソル位置検出手段である。１９はカーソル位置の番組の番組詳細に含まれたジャンル情報を保持するユーザ情報記憶手段である。２０はユーザ情報記憶手段１９に記憶された情報をもとにユーザの嗜好情報を更新し、さらに保存する嗜好情報取得手段である。
【００１０】
次に、本実施の形態１の情報受信装置の動作を図３に示すフローチャートを参照しつつ説明する。
【００１１】
まず、ステップ１において、番組情報記憶手段１２は番組情報を受けて、図２に示すような番組情報を記憶する。ステップ２において、番組表提供手段１５は記憶している番組情報を番組表としてモニタ１６に提供する。本実施の形態では例えば、図４のように、３チャンネルの２時間分のスケジュールが番組表としてモニタに表示される。図４に示すように、通常、番組表には番組タイトルが表示される。ステップ３において、カーソル提供手段１７で提供されるカーソルの位置をカーソル位置検出手段１８で検出し、カーソル位置にある番組を選択する。ステップ４では、選択された番組を番組放送受信手段１３で選局し、映像・音声デコーダでデコードして、モニタ１６に番組放送を表示する。ステップ５においては、選択した番組の番組情報、特にジャンル情報で、番組情報記憶手段１２に記憶されている番組情報から、現在視聴中の番組のジャンル情報を取り出し、ユーザ情報記憶手段１９にジャンル情報を記憶し、嗜好情報取得手段２０において、ジャンル情報を元にユーザの嗜好情報を更新する。ステップ６において、番組情報記憶手段１２に記憶されている現在視聴中の番組のコマーシャルを挿入する位置であるかどうかを調べ、コマーシャル挿入位置であればステップ７に行く。そうでなければ、ステップ２に戻り、再度番組表から、視聴番組を選択することになる。ステップ７においては、嗜好情報取得手段２０で計算されたユーザの嗜好情報を用いて、コマーシャル受信手段で選局し、映像・音声デコーダでデコードして、モニタ１６にコマーシャル放送を表示する。
【００１２】
このように、本発明の実施の形態１による情報受信装置では、コマーシャル挿入位置等の番組情報が重畳された信号を受信して、モニタで視聴したときに、ユーザの嗜好情報を保持することにより、ユーザの嗜好に合致したコマーシャル放送だけを受信することができる情報受信装置を実現することができる。また、放送局側から考えれば、コマーシャル放送を独自で重畳する必要もないので、システム構築が安価で可能となり、コマーシャルを提供する側としても、放送局を気にせずコマーシャルを適宜更新したり、ユーザの要求を事前にマーケティングする必要もなくなる。
【産業上の利用可能性】
【００１３】
本発明の情報受信装置は、コマーシャル挿入位置を含む番組情報を受信する番組情報受信手段と、番組情報を記憶する番組情報記憶手段と、ユーザ情報を記憶するユーザ情報記憶手段と、前記番組情報手段に記憶された番組情報と前記ユーザ情報記憶手段に記憶されたユーザ情報を比較する情報比較手段と、前記情報比較手段で比較された結果をもとにコマーシャルを受信するコマーシャル受信手段とを備えた構成にしたから、ユーザの視聴状況に応じて、ユーザの要望に合致したコマーシャル放送を受信できるサービスを提供することができるテレビジョン放送システムに有用である。
【図面の簡単な説明】
【００１４】
【図１】本発明の実施の形態１による情報受信装置の構成を示した説明図
【図２】本発明の実施の形態１によるテレビジョン放送システムにおいて、番組送出側により配信される番組情報の内容の一例を示した説明図
【図３】本発明の実施の形態１による情報受信装置の動作を説明するためのフローチャート
【図４】番組情報に基づいて作成、表示される番組表の一例を示した説明図
【符号の説明】
【００１５】
１１    番組情報受信手段
１２    番組情報記憶手段
１３    番組放送受信手段
１４    コマーシャル放送受信手段
１５    番組表提供手段
１６    モニタ
１７    カーソル提供手段
１８    カーソル位置検出手段
１９    ユーザ情報記憶手段
２０    嗜好情報取得手段
【図１】
2006041664.tif 000003
【図２】
2006041664.tif 000004
【図３】
2006041664.tif 000005
【図４】
2006041664.tif 000006